(57)【要約】【課題】高さ寸法を短縮して携帯性を向上させた屈曲光学系を有するカメラを提供する。【解決手段】デジタルカメラ１０は、屈曲光学系３０を備えている。この屈曲光学系３０は、標準姿勢のカメラ本体１１を被写体側から見たときに左右方向に延在するようにカメラ本体１１内に配置されている。また、カメラ本体１１内には、各部を制御するＣＰＵ３８が実装されたメイン基板３７が設けられており、このメイン基板３７は、屈曲光学系３０の背面側に配置されている。また、ストロボ発光部１３、ストロボコンデンサ３６、及びレリーズボタン１５は、屈曲光学系３０よりも上方に配置されており、バッテリ３９、電源端子１６、及びＵＳＢ端子１７は、屈曲光学系３０よりも下方に配置されている。【選択図】図４
2007316528.tif 000002
【特許請求の範囲】
【請求項１】
被写体光の光軸を略直角に屈曲させた後に被写体像を結像する屈曲光学系を備え、この屈曲光学系が、標準姿勢のカメラ本体を被写体側から見たときに左右方向に延在するように前記カメラ本体内に配置されたカメラにおいて、
前記屈曲光学系の背面側に、前記カメラ本体内の各部を制御する制御回路が実装されたメイン基板が設けられていることを特徴とするカメラ。
【請求項２】
前記カメラ本体が前記標準姿勢にされた状態で前記屈曲光学系よりも上方に、ストロボ発光部、ストロボコンデンサ、及びレリーズボタンが設けられ、前記屈曲光学系よりも下方に、外部機器と接続するための接続端子が設けられていることを特徴とする請求項１記載のカメラ。
【請求項３】
前記カメラ本体が前記標準姿勢にされた時に、前記屈曲光学系よりも下方で略平行となるように、前記カメラ本体内の各部に電源を供給するバッテリが配置されていることを特徴とする請求項１または２記載のカメラ。
【請求項４】
前記カメラ本体が前記標準姿勢にされた時に、前記カメラ本体の側面側に縦置きとなるように、前記カメラ本体内の各部に電源を供給するバッテリが配置されていることを特徴とする請求項１または２記載のカメラ。
【請求項５】
前記カメラ本体の背面には、画像を表示する表示手段が設けられており、前記標準姿勢の前記カメラ本体を背面側から見た時に、ユーザによって操作される複数の操作部材が、前記表示手段よりも下側で前記左右方向に一列で配置されていることを特徴とする請求項１ないし４のいずれか記載のカメラ。
【請求項６】
前記屈曲光学系を構成するレンズを前記光軸に沿って移動させるモータが、前記メイン基板に実装されていることを特徴とする請求項１ないし５のいずれか記載のカメラ。
【請求項７】
前記屈曲光学系は、前記被写体光を略直角に反射させて、前記光軸を前記左右方向に屈曲させる第１反射光学部材と、この第１反射光学部材によって屈曲された前記光軸を前記メイン基板に向けて略直角に屈曲させる第２反射光学部材とを備え、前記メイン基板には、前記被写体像を撮像する撮像手段が前記第２反射光学部材の出射面と対面する位置に実装されていることを特徴とする請求項１ないし６のいずれか記載のカメラ。
【発明の詳細な説明】
【技術分野】
【０００１】
本発明は、被写体光の光軸を略直角に屈曲させ後、被写体像を結像させる屈曲光学系を備えているカメラに関する。
【背景技術】
【０００２】
近年、ＣＣＤイメージセンサ等の固体撮像素子を備えたデジタルカメラが普及している。また、被写体光の光軸を略直角に屈曲させる屈曲光学系を備えたデジタルカメラが知られている。このようなデジタルカメラでは、光学系の前後方向長さを縦横方向に変換することによって、カメラ本体の前後方向の厚みを薄くして携帯性を向上させることができる。
【０００３】
また、標準姿勢のカメラ本体を被写体側から見た時に、前述の屈曲光学系がカメラ本体の左右方向の略全幅に渡って延在するように配置したデジタルカメラが知られている（例えば、特許文献１参照）。このデジタルカメラでは、カメラ本体の左右方向の幅を短縮するとともに、屈曲光学系以外の構成部品を屈曲光学系の両側に振り分けて配置することで、カメラ本体の小型化を図ることができる。
【特許文献１】特開２００４−２１９５１６号公報
【発明の開示】
【発明が解決しようとする課題】
【０００４】
しかしながら、上記特許文献１に記載のデジタルカメラでは、屈曲光学系以外の構成部品を屈曲光学系の両側に振り分けて配置するため、カメラ本体の高さ寸法を短縮することが難しいという問題があった。
【０００５】
本発明は、上記事情に鑑みてなされたものであり、高さ寸法を短縮して携帯性を向上させた屈曲光学系を有するカメラを提供することを目的とする。
【課題を解決するための手段】
【０００６】
上記課題を解決するために、本発明のカメラは、被写体光の光軸を略直角に屈曲させた後に被写体像を結像する屈曲光学系を備え、この屈曲光学系が、標準姿勢のカメラ本体を被写体側から見たときに左右方向に延在するように前記カメラ本体内に配置されたカメラであり、前記屈曲光学系の背面側に、前記カメラ本体内の各部を制御する制御回路が実装されたメイン基板が設けられていることを特徴とするものである。
【０００７】
また、前記カメラ本体が前記標準姿勢にされた状態で前記屈曲光学系よりも上方に、ストロボ発光部、ストロボコンデンサ、及びレリーズボタンが設けられ、前記屈曲光学系よりも下方に、外部機器と接続するための接続端子が設けられていることが好ましい。
【０００８】
さらに、前記カメラ本体が前記標準姿勢にされた時に、前記屈曲光学系よりも下方で略平行となるように、前記カメラ本体内の各部に電源を供給するバッテリが配置されていることが好ましい。また、前記カメラ本体が前記標準姿勢にされた時に、前記カメラ本体の側面側に縦置きとなるように、前記カメラ本体内の各部に電源を供給するバッテリを配置しても良い。
【０００９】
また、前記カメラ本体の背面には、画像を表示する表示手段が設けられており、前記標準姿勢の前記カメラ本体を背面側から見た時に、ユーザによって操作される複数の操作部材が、前記表示手段よりも下側で前記左右方向に一列で配置されていることが好ましい。
【００１０】
さらに、前記屈曲光学系を構成するレンズを前記光軸に沿って移動させるモータが、前記メイン基板に実装されていることが好ましい。
【００１１】
また、前記屈曲光学系は、前記被写体光を略直角に反射させて、前記光軸を前記左右方向に屈曲させる第１反射光学部材と、この第１反射光学部材によって屈曲された前記光軸を前記メイン基板に向けて略直角に屈曲させる第２反射光学部材とを備え、前記メイン基板には、前記被写体像を撮像する撮像手段が前記第２反射光学部材の出射面と対面する位置に実装されていることが好ましい。
【発明の効果】
【００１２】
本発明のカメラによれば、メイン基板が、屈曲光学系の背面側に配置されているため、屈曲光学系よりも上方または下方にメイン基板を配置する場合よりも、カメラ本体の高さ寸法を短縮することができる。このため、カメラの携帯性を向上させることができる。
【００１３】
また、屈曲光学系よりも上方に、ストロボ発光部、ストロボコンデンサ、及びレリーズボタンを設け、屈曲光学系よりも下方に接続端子を設けることにより、カメラ本体に部品が効率良く配置してカメラ本体を小型することができる。
【００１４】
さらに、カメラ本体の側面側にバッテリを縦置きで配置することによって、バッテリを屈曲光学系よりも下方に略平行に配置する場合よりも高さ寸法を短縮することが可能である。
【００１５】
また、表示手段よりも下側に、複数の操作部材を一列に配置することによって、表示手段のサイズを大きくすることが可能である。さらに、メイン基板に撮像手段及びモータを実装することによって、メイン基板と接続するための接続部材が不要となり製造コストを低減することが可能である。
【発明を実施するための最良の形態】
【００１６】
最初に、第１の実施形態であるデジタルカメラ１０について説明する。図１に示すデジタルカメラ１０は、カメラ本体１１の前面に、対物レンズ１２と、ストロボ発光部１３とを備えている。また、カメラ本体１１の前面には、対物レンズ１２を遮蔽する遮蔽位置と露呈させる露呈位置との間で移動自在なレンズバリア１４が設けられている。さらに、カメラ本体１１の上面には、レリーズボタン１５が設けられている。
【００１７】
また、カメラ本体１１の側面には、電源端子１６と、ＵＳＢ端子１７とが設けられている。電源端子１６は、ＡＣアダプタの接続端子が接続され、ＵＳＢ端子１７は、外部周辺機器（例えば、パーソナルコンピュータ）とカメラ本体１１とをＵＳＢケーブルで接続する際に使用される。
【００１８】
さらに、カメラ本体１１の背面には、図２に示すように、ＬＣＤ２０と、操作部２１とが設けられている。ＬＣＤ２０は、画像を表示する表示手段であり、画像の他に各種設定画面等も表示する。また、操作部２１は、複数の操作部材（ボタン等）で構成されており、ユーザによって操作される。この操作部２１は、標準姿勢のカメラ本体１１を背面側から見た時に、ＬＣＤ２０よりも右側に配置されている。
【００１９】
次に、カメラ本体１１内の構成部品のレイアウトについて説明する。デジタルカメラ１０は、図３〜図５に示すように、屈曲光学系３０を備えている。この屈曲光学系３０は、標準姿勢のカメラ本体１１を被写体側から見た時にカメラ本体１１の左右方向の略全幅に渡って延在するように配置されている。屈曲光学系３０は、対物レンズ１２と、プリズム３１と、ズームレンズやフォーカスレンズ等で構成される複数のレンズ群（図示せず）と、ズームレンズ及びフォーカスレンズを光軸方向に駆動するモータ３２，３３とを備えて構成されている。
【００２０】
また、この屈曲光学系３０の後端部には、被写体像を光電変換によって撮像する撮像手段であるＣＣＤイメージセンサ（以下、単にＣＣＤと称する）３４が設けられている。対物レンズ１２を透過した被写体光が、プリズム３１によって略直角に屈曲された後、複数のレンズ群を透過して、ＣＣＤ３４の受光面に被写体像が結像される。
【００２１】
また、屈曲光学系３０よりも上方には、レリーズユニット３５と、ストロボ発光部１３と、ストロボコンデンサ３６とが設けられている。また、屈曲光学系３０の背面側には、メイン基板３７が設けられている。このメイン基板３７は、カメラ本体１１内の各部を制御する制御回路であるＣＰＵ３８が実装されている。
【００２２】
また、屈曲光学系３０よりも下方には、カメラ本体１１内の各部に電源を供給するバッテリ３９が設けられている。このバッテリ３９は、屈曲光学系３０と略平行となるように、左右方向に配置されている。
【００２３】
前述したように、メイン基板３７を屈曲光学系３０の背面側に配置することによって、メイン基板３７を屈曲光学系３０よりも上方または下方に配置する場合と比べて、カメラ本体１１の高さ方向のサイズを短縮することが可能であり、カメラ本体１１の携帯性を向上させることができる。
【００２４】
次に、第２の実施形態であるデジタルカメラ４０について説明する。図６に示すデジタルカメラ４０は、カメラ本体４１の背面側の構成がデジタルカメラ１０と異なり、ＬＣＤ４２よりも下方に操作部４３が設けられている。また、この操作部４３を構成する各ボタン４３ａ〜４３ｇは、左右方向に一列に配置されている。このため、デジタルカメラ１０のように、ＬＣＤ４２よりも右側に操作部４３を配置する場合と比べて、ＬＣＤのサイズを大型化することが可能である。なお、その他の構成は、デジタルカメラ１０と同様であり、同じ部品には同一の符号を付して詳しい説明を省略する。
【００２５】
次に、第３の実施形態であるデジタルカメラ５０について説明する。図７に示すデジタルカメラ５０は、カメラ本体５１内に収納されるバッテリ３９の配置位置がデジタルカメラ１０と異なり、標準姿勢のカメラ本体５１を被写体側から見て、左側面側に縦置きで配置されている。このため、デジタルカメラ１０のように、バッテリ３９を屈曲光学系３０よりも下方に配置する場合と比較して、カメラ本体５１の高さ寸法を小さくすることができる。なお、その他の構成は、デジタルカメラ１０と同様であり、同じ部品には同一の符号を付して詳しい説明を省略する。
【００２６】
次に、第４の実施形態であるデジタルカメラ６０について説明する。図８及び図９に示すデジタルカメラ６０は、ＣＣＤ３４の配置位置がデジタルカメラ１０と異なり、ＣＣＤがメイン基板に実装されている。例えば、ＣＣＤ３４は、撮像素子パッケージに収納された状態でメイン基板３７に半田付けされて実装されている。また、メイン基板３７には、ズームレンズや、フォーカスレンズ等を駆動するモータ３２，３３も半田で直付けされている。
【００２７】
このように、ＣＣＤ３４の配置位置が異なるため、カメラ本体６１内に設けられた屈曲光学系６２の構成も屈曲光学系３０と異なる。つまり、屈曲光学系３０が１つのプリズム３１を有し、被写体光の光軸を略直角に１回屈曲させるのに対して、屈曲光学系６２は、プリズム６３，６４の２つのプリズムを有している。
【００２８】
プリズム６３は、入射した被写体光の光軸をカメラ本体１１の左右方向に略平行となるように、略直角に屈曲させる。その後、複数のレンズ群６５〜６８を透過した被写体光がプリズム６４に入射する。
【００２９】
プリズム６４は、複数のレンズ群６５〜６８を透過した被写体光の光軸をカメラ本体６１の背面に向けて略直角に屈曲させる。前述のＣＣＤ３４は、このプリズム６４の出射面と対面するように配置されており、被写体光がＣＣＤ３４の受光面に入射する。なお、その他の構成は、デジタルカメラ１０と同様であり、同じ部品には同一の符号を付して詳しい説明を省略する。
【００３０】
前述したように、ＣＣＤ３４、及びモータ３２，３３をメイン基板３７に実装することによって、メイン基板３７とこれらを接続するための接続部材、例えば、ＦＰＣ（Flexible Printed Circuit）等が不要となり、接続部材を削減することによってコストダウンすることが可能である。
【００３１】
上記説明において、ＣＣＤ３４及びモータ３２，３３の両方をメイン基板３７に実装する場合を例に説明を行ったが、どちらか一方のみをメイン基板３７に実装しても良い。モータ３２，３３のみをメイン基板３７に実装する場合、デジタルカメラ１０と同様の屈曲光学系３０を用いれば良い。
【００３２】
なお、上記実施形態において、反射光学部材としてプリズムを用いる場合を例に説明したが、これに限るものではなく、例えば、プリズムの代わりに反射ミラーを用いても良い。
【００３３】
また、上記実施形態において、撮像手段としてＣＣＤイメージセンサを用いる場合を例に説明を行ったが、これに限るものではなく、例えば、ＣＭＯＳイメージセンサを用いても良い。
【００３４】
さらに、上記実施形態において、本発明をデジタルカメラに適用した場合を例に説明を行ったが、これに限るものではなく、例えば、本発明を銀塩カメラに適用しても良い。
【図面の簡単な説明】
【００３５】
【図１】第１の実施形態であるデジタルカメラの前面側の構成を示す斜視図である。
【図２】デジタルカメラの背面側の構成を示す背面図である。
【図３】デジタルカメラの内部構成を示す平面概略図である。
【図４】デジタルカメラの内部構成を示す正面概略図である。
【図５】デジタルカメラの内部構成を示す側面概略図である。
【図６】第２の実施形態であるデジタルカメラの背面側の構成を示す背面図である。
【図７】第３の実施形態であるデジタルカメラの内部構成を示す正面概略図である。
【図８】第４の実施形態であるデジタルカメラの内部構成を示す平面概略図である。
【図９】第４の実施形態であるデジタルカメラの内部構成を示す側面概略図である。
【符号の説明】
【００３６】
１０，４０，５０，６０  デジタルカメラ
１１，４１，５１，６１  カメラ本体
１３  ストロボ発光部
１６  電源端子
１７  ＵＳＢ端子
２０，４２  ＬＣＤ
２１，４３  操作部
３０，６２  屈曲光学系
３１，６３，６４  プリズム
３２，３３  モータ
３４  ＣＣＤ
３５  レリーズユニット
３６  ストロボコンデンサ
３７  メイン基板
３８  ＣＰＵ
３９  バッテリ
４３ａ〜４３ｇ  操作部材
【図１】
2007316528.tif 000003
【図２】
2007316528.tif 000004
【図３】
2007316528.tif 000005
【図４】
2007316528.tif 000006
【図５】
2007316528.tif 000007
【図６】
2007316528.tif 000008
【図７】
2007316528.tif 000009
【図８】
2007316528.tif 000010
【図９】
2007316528.tif 000011